(57)【要約】【課題】使用者の足からの脱着が容易であり、且つ、装着効率が高い履物を提供すること。【解決手段】底板部１１と、一端部２１，３１が底板部１１に連結し、底板部１１に使用者の足部が載置された場合に、使用者の足部の甲を一対の固定具２３，３３を用いて保持する甲保持部１２ａ，１２ｂと、底板部１１の後方側に連結して配置され、使用者の踵を保持するための踵当て部１３と、を備え、甲保持部１２ａ，１２ｂは、一対の固定具２３，３３が配置されている端部２２，３２を、底板部１１の側部近傍に配置した状態で固定可能である。【選択図】図１
2019055015.tif 000002
【特許請求の範囲】
【請求項１】
底板部と、
一端部が前記底板部に連結し、前記底板部に使用者の足部が載置された場合に、使用者の足部の甲を一対の固定具を用いて保持する甲保持部と、
前記底板部の後部に連結して配置され、使用者の踵を保持するための踵当て部と、を備え、
前記甲保持部は、前記固定具が配置されている端部を、前記底板部の側部近傍に配置した状態で固定可能である、履物。
【発明の詳細な説明】
【技術分野】
【０００１】
本発明は、歩行アシストに利用できる履物に関する。
【背景技術】
【０００２】
従来、このような分野の技術として、特開２００９−０７７７６８号公報がある。この公報に記載された靴は、底板部と、使用者の足部の甲を保持するための甲保持部と、使用者の踵を保持するための踵当て部を有する。甲保持部には、足部の甲を左右から覆う一対の面ファスナーを備える。これにより、特に脚の動きが不自由である使用者への靴の着脱が容易となり、使用者や、使用者への靴の着脱を行う補助者への負担を軽減することができる。
【先行技術文献】
【特許文献】
【０００３】
【特許文献１】特開２００９−０７７７６８号公報
【発明の概要】
【発明が解決しようとする課題】
【０００４】
ここで前述した従来の靴は、一般的な靴やスリッパが有するような爪先部の甲被（アッパー）を備えていないことにより、使用者の足への着脱を容易にしている。ここで使用者に靴を装着する際に、甲保持部の面ファスナーを左右外側に開いてから底板部に使用者の足裏を載置しようとしたときに、面ファスナーのいずれかが靴の内側に閉じてしまうことがある。この場合には面ファスナーを再度開きなおしてから、使用者の足部を底板部に載置するという手順が発生するため、装着効率が低下してしまう。
本発明は、使用者の足からの脱着が容易であり、且つ、装着効率が高い履物を提供するものである。
【課題を解決するための手段】
【０００５】
本発明にかかる履物は、底板部と、一端部が前記底板部に連結し、前記底板部に使用者の足部が載置された場合に、使用者の足部の甲を一対の固定具を用いて保持する甲保持部と、前記底板部の後部に連結して配置され、使用者の踵を保持するための踵当て部と、を備え、前記甲保持部は、前記一対の固定具が配置されている端部を、前記底板部の側部近傍に配置した状態で固定可能である。
これにより、履物を使用者に装着又は脱着する際に、一対の甲保持部を着脱の動作を阻害しない位置に固定しておくことができる。
【発明の効果】
【０００６】
これにより、使用者の足からの脱着が容易であり、且つ、装着効率が高い履物を提供することができる。
【図面の簡単な説明】
【０００７】
【図１】実施の形態１にかかる履物の上面図である。
【図２】実施の形態１にかかる履物の第２の甲保持部を開口状態にした拡大図である。
【図３】実施の形態２にかかる履物の上面図である。
【図４】実施の形態３にかかる履物の上面図である。
【図５】実施の形態３にかかる履物の第２の甲保持部を開口状態にした拡大図である。
【図６】実施の形態４にかかる履物の甲保持部が開口状態である上面図である。
【図７】実施の形態４にかかる履物の装着状態を示す側面図である。
【発明を実施するための形態】
【０００８】
・実施の形態１
以下、図面を参照して本発明の実施の形態について説明する。図１に示すように、履物１は、底板部１１と、底板部１１の前方寄りの側部に連結されている一対の甲保持部１２ａ，１２ｂと、底板部１１の後方側に連結されている踵当て部１３と、を備える。以下では、履物は靴であって、図１に示したような使用者の右足に装着する右足用の靴ものとして説明する。なお履物１は、靴以外であっても良く、たとえばスリッパであっても良い。またこの履物１として説明する靴は、例えば、足部に麻痺を有する使用者のリハビリの際に用いるものであり、歩行者訓練装置のあぶみ部に麻痺を有している足を固定するための麻痺側靴である。
【０００９】
底板部１１には、人の足裏を載置可能である。例えば、底板部１１は、使用者の足の前側が載置される前部である前足部１１ａと、使用者の土踏まずの近傍が載置される中部である中足部１１ｂと、使用者の踵の近傍が載置される後部である後足部１１ｃと、を有する。前足部１１ａは、左右の側部に甲保持部１２ａ，１２ｂの端部がそれぞれ連結されている。また、後足部１１ｃには、踵当て部１３が立設するように連結されている。
【００１０】
一対の甲保持部１２ａ，１２ｂは、それぞれ底板部１１の前足部１１ａの側部に連結されている。具体的には、使用者の足を底板部１１に載置した状態において、使用者の足の外側方向（例えば、右足用の靴における右側）で前足部１１ａと連結されている甲保持部を第１の甲保持部１２ａ、使用者の足の内側方向（右足用の靴における左側）で前足部１１ａと連結されている甲保持部を第２の甲保持部１２ｂとする。甲保持部１２ａ，１２ｂの夫々は、一端が底板部１１に連結され、他端近傍が使用者の甲を覆うように設けられた布である。なお図２は、第２の甲保持部１２ｂのみを開いた状態（開口状態）にして、第１の甲保持部１２ａを見やすくした状態を示す図である。
【００１１】
図２に示すように、第１の甲保持部１２ａは、外側方向にある端部２１が底板部１１に連結されており、他端部（先端部）２２近傍が使用者の甲の上に配置される。また、第１の甲保持部１２ａの端部２２近傍を使用者の甲の上に配置した状態において、上側の面にオス型（鉤型）である第１の面ファスナー２３を有する。また第１の甲保持部１２ａは、端部２１近傍の外面側にメス型（輪っか型）である第２の面ファスナー２４を有する。なお、第１の面ファスナー２３は、後述する第２の甲保持部１２ｂに設けられたメス型の第３の面ファスナー３３と当接し、着脱可能な状態で結合することによって、使用者の甲を固定する。また、第１の甲保持部１２ａを外側に開くように折り曲げ、第１の面ファスナー２３を第２の面ファスナー２４に当接させて結合させることにより、第１の甲保持部１２ａを開口状態で固定可能である。
【００１２】
図１に示すように、第２の甲保持部１２ｂは、内側方向にある端部３１が底板部１１に連結されており、他端部（先端部）３２近傍が使用者の甲の上に配置される。また、第２の甲保持部１２ｂの端部３２近傍を使用者の甲の上に配置した状態において、下側の面にメス型である第３の面ファスナー３３を有し、上側の面にオス型である第４の面ファスナー３４を有する。また第２の甲保持部１２ｂは、端部２１近傍の外面側にメス型である第５の面ファスナー３５を有する。第２の甲保持部１２ｂを左右方向における外側（使用者の足における内側方向）に開くように折り曲げ、第４の面ファスナー３４を第５の面ファスナー３５に当接させて結合させることにより、第２の甲保持部１２ｂを開口状態で固定することができる。
【００１３】
なお、第１の甲保持部１２ａと第２の甲保持部１２ｂを開口状態で固定する際には、大きく開くことができることが望ましい。これにより、使用者に履物１を装着する場合に、使用者のつま先の位置調整が適切であるか否かの目視確認が容易となる。
【００１４】
踵当て部１３は、底板部１１の後足部において立設するように設けられている。踵当て部１３は使用者の踵が当接する位置に開口を有している。これにより、踵当て部１３が使用者の踵に隙間無く当接する状態となっているか否かを、目視により確認することができる。
【００１５】
次に、履物１を使用者に装着する場合の動作について簡単に説明する。
【００１６】
第１の甲保持部１２ａの端部２２を、端部２１が設けられている側部側に近づけるように大きく開くように動かし、第１の面ファスナー２３を第２の面ファスナー２４に当接させる。これにより、第１の甲保持部１２ａは、開口状態で固定される。
【００１７】
同様に、第２の甲保持部１２ｂの端部３２を、端部３１が設けられている側部側に近づけるように大きく開くように動かし、第４の面ファスナー３４を第５の面ファスナー３５に当接させる。これにより、第２の甲保持部１２ｂは、開口状態で固定される。
【００１８】
使用者は、甲保持部１２ａ，１２ｂが開口状態であることにより、底板部１１上方が開口状態であるため、履物１の底板部１１に足部を位置調整しながら載置する。
【００１９】
その後、第１の甲保持部１２ａの第１の面ファスナー２３を第２の面ファスナー２４から取り外し、端部２２が使用者の甲に載置されるように配置する。
【００２０】
また、第２の甲保持部１２ｂの第４の面ファスナー３４を第５の面ファスナー３５から取り外し、端部３２が使用者の甲の上に配置されるように動かし、第１の甲保持部１２ａの第１の面ファスナー２３と、第２の甲保持部１２ｂの第３の面ファスナー３３を接着させる。これにより、甲保持部１２ａ，１２ｂによって使用者の甲を固定することができる。
【００２１】
なお、履物１を使用者から脱着する場合も、同様の手順により実行可能である。すなわち、第１の甲保持部１２ａでは第１の面ファスナー２３を第２の面ファスナー２４に当接させ、第２の甲保持部１２ｂでは第４の面ファスナー３４を第５の面ファスナー３５に当接させることで、第１及び第２の甲保持部１２ａ，１２ｂが開口状態で固定することで、使用者は容易に履物１を脱着できる。
【００２２】
これにより、第１の甲保持部１２ａでは第１の面ファスナー２３を第２の面ファスナー２４、及び、第２の甲保持部１２ｂでは第４の面ファスナー３４を第５の面ファスナー３５を固定具として用いることで、履物の上部を開口した状態で、甲保持部１２ａ１２ｂを履物の側部近傍に固定しておくことができる。したがって、使用者への履物の装着及び脱着の作業性を向上させることができる。また、履物の側方の外面に設けられている第１の甲保持部１２ａの第２の面ファスナー２４、及び第２の甲保持部１２ｂの第５の面ファスナー３５はいずれもメス型であるため、これらの面ファスナーは衣服に接着しにくく、作業性を確保することができる。
【００２３】
・実施の形態２
図３に示すように、履物２は、底板部１１と、底板部１１の前方寄りの側部に連結された一対の甲保持部である第１の甲保持部１２ａ、第２の甲保持部１２ｃと、底板部１１の後方側に連結されている踵当て部１３と、を備える。なお、実施の形態１に示した構成物品と同様の機能を奏するものについては、同一の符号を付し、説明を省略する。
【００２４】
第２の甲保持部１２ｃは、前方側保持部４１と、後方側保持部４２と、に分割されている。第２の甲保持部１２ｃは、内側方向に配置された端部が底板部１１に連結されており、他端部が使用者の甲の上に配置される。
【００２５】
より具体的には、前方側保持部４１は、一端部５１が底板部１１に連結されており、他端部（先端部）５２近傍が使用者の甲の上に配置される。前方側保持部４１の端部５２近傍を使用者の甲の上に配置した状態において、下側の面には、メス型である第３の面ファスナー５３を有し、上側の面には、オス型である第４の面ファスナー５４を有する。また前方側保持部４１は、端部５１近傍の外面側にメス型である第５の面ファスナー５５を有する。前方側保持部４１を左右方向における外側（使用者の足における内側方向）に開くように折り曲げ、第４の面ファスナー５４を第５の面ファスナー５５に当接させて結合させることにより、前方側保持部４１を開口状態で固定することができる。
【００２６】
後方側保持部４２は、一端部６１が底板部１１に連結されており、他端部（先端部）６２近傍が使用者の甲の上に配置される。後方側保持部４２の端部６２近傍を使用者の甲の上に配置した状態において、下側の面には、メス型である第６の面ファスナー６３を有し、上側の面には、オス型である第７の面ファスナー６４を有する。また後方側保持部４２は、端部６１近傍の外面側にメス型である第８の面ファスナー６５を有する。後方側保持部４２を左右方向における外側（使用者の足における内側方向）に開くように折り曲げ、第７の面ファスナー６４を第８の面ファスナー６５に当接させて結合させることにより、後方側保持部４２を開口状態で固定することができる。
【００２７】
ここで、第２の甲保持部１２ｃを用いて使用者の甲を保持する場合には、使用者の甲上において、前方側保持部４１の第３の面ファスナー５３を、第１の甲保持部１２ａの第１の面ファスナー２３と接着する。これにより、使用者のつま先付近の甲の高さに合わせて、前方側保持部４１の位置を調整することができる。
【００２８】
さらに、使用者の甲上において、後方側保持部４２の第６の面ファスナー６３を、第１の甲保持部１２ａの第１の面ファスナー２３と接着する。これにより、使用者の足首付近の開口の大きさを調整することができ、例えば足首部分の開口を狭めた状態で固定することができる。
【００２９】
このようにして、前方側保持部４１と後方側保持部４２に分割可能な第２の甲保持部１２ｃを採用することにより、使用者の甲部の固定と、足首部の固定を独立して実行することができる。したがって、使用者に対して履物２を強固に固定した状態とすることができる。
【００３０】
・実施の形態３
図４に示すように、履物３は、底板部１１と、底板部１１の前方側部に連結されている一対の甲保持部１２ｄ，１２ｅと、底板部１１の後方側に連結されている踵当て部１３と、を備える。なお、実施の形態１、２に示した構成物品と同様の機能を奏するものについては、同一の符号を付し、説明を省略する。
【００３１】
図５に示すように、第１の甲保持部１２ｄは、外側方向に配置された端部７１が底板部１１に連結されており、他端部（先端部）７２が使用者の甲の上に配置される。第１の甲保持部１２ｄの端部７２近傍には、他端部７２が使用者の甲の上に配置された状態における上側の面に、オス型である面ファスナー７３を有する。また、端部７２近傍には錘７４が設けられている。
【００３２】
図４に示すように、第２の甲保持部１２ｅは、外側方向に配置された端部８１が底板部１１に連結されており、他端部（先端部）８２が使用者の甲の上に配置される。第２の甲保持部１２ｅの端部８２近傍には、他端部８２が使用者の甲の上に配置された状態における下側の面に、メス型である面ファスナー８３を有する。また、端部８２近傍には錘８４が設けられている。
【００３３】
なお、端部７２に設けられた錘７４は、第１の甲保持部１２ｄのいずれの面上に設けられていても良く、あるいは、第１の甲保持部１２ｄ内に埋め込まれるように設けられても良い。錘８４についても同様である。また錘７４及び錘８４は、複数設けられていても良い。
【００３４】
使用者に履物３を装着した状態では、第１の甲保持部１２ｄの面ファスナー７３と、第２の甲保持部１２ｅの面ファスナー８３が、使用者の甲の上で接着した状態となることで、甲保持部１２ｄ，１２ｅを互いに固定している。
【００３５】
使用者に履物３を装着する場合、あるいは脱着する場合には、第１の甲保持部１２ｄの端部７２及び第２の甲保持部１２ｅの端部８２がそれぞれ左右方向に大きく開いた状態となる。このとき、錘７４の重量によって第１の甲保持部１２ｄが開口状態で固定され、同様に、錘８４の重量によって第２の甲保持部１２ｅが開口状態で固定される。
【００３６】
このようにして、履物３では、使用者の甲の上では面ファスナー７３と面ファスナー８３を用いて固定を行うとともに、甲保持部１２ｄ，１２ｅを開口状態で固定するための固定具として錘７４、錘８４を用いることで、履物の上部を開口した状態で固定しておくことができる。すなわち、甲保持部１２ｄ，１２ｅを履物の側部近傍に固定しておくことができる。したがって、使用者への履物の装着及び脱着の作業性を向上させることができる。
【００３７】
・実施の形態４
図６に示すように、履物４は、底板部１１と、底板部１１の前方側の前面に連結されている甲保持部１２ｆと、底板部１１の後方側に連結されている踵当て部１３と、を備える。なお、実施の形態１〜３に示した構成物品と同様の機能を奏するものについては、同一の符号を付し、説明を省略する。
【００３８】
底板部１１の中足部１１ｂにおける使用者の足の外側方向及び内側方向の側部には、それぞれ面ファスナー９１，９２が設けられている。なお、使用者の足の外側方向の面ファスナーを第１の面ファスナー９１、内側方向の面ファスナーを第２の面ファスナー９２とする。例えば、第１及び第２の面ファスナー９１，９２は、それぞれメス型である。
【００３９】
より具体的には、甲保持部１２ｆは、たとえば略矩形状の布部１０１と、底板部１１の前方側の前面に連結する連結部１０２を有している。甲保持部１２ｆの略矩形状の布部１０１には、それぞれ面ファスナー９３，９４が配置されている。具体的には、図４に示すように連結部１０２を屈曲させずに伸ばした状態において、上面側に面ファスナー９３，９４が設けられており、使用者の足の外側寄りに設けられた面ファスナーを第３の面ファスナー９３、使用者の足の内側寄りに設けられた面ファスナーを第４の面ファスナー９４とする。例えば、第３及び第４の面ファスナー９３，９４は、それぞれオス型である。
【００４０】
連結部１０２は、屈曲可能な連結素材である（図７参照）。また例えば連結部１０２には、面ファスナー９５，９６によって接着する２つの部材でできており、底板部１１側の部分と略矩形状の布部１０１とを分離可能である。また連結部１０２では、面ファスナー９５，９６の着脱により、使用者が履物４を装着した状態のときにつま先側の開口を保持することができる。
【００４１】
また、使用者が履物４を装着した状態で固定する際には、連結部１０２を屈曲させ、布部１０１の一部を使用者の甲の上に配置させる。そして、第１の面ファスナー９１と、第３の面ファスナー９３を接着させるとともに、第２の面ファスナー９２と、第４の面ファスナー９４を接着させる。
【００４２】
逆に、使用者が履物４を脱着したい場合には、第１の面ファスナー９１と、第３の面ファスナー９３の接着状態を解消するとともに、第２の面ファスナー９２と、第４の面ファスナー９４の接着状態を解消させ、甲保持部１２ｆを使用者の甲上から退避させる。
【００４３】
なお布部１０１の先端は、折り返せるように構成しておくことにより、使用者が履物４を装着して固定した際に、先端部の余分を調整することができる。
【００４４】
なお、本発明は上記実施の形態に限られたものではなく、趣旨を逸脱しない範囲で適宜変更することが可能である。例えば、甲保持部を固定するために、面ファスナー又は錘を用いるものとして説明したが、これらに代えてボタンやフック、マグネット等を適宜用いることができる。また例えば、実施の形態１では第１の甲保持部１２ａと第２の甲保持部１２ｂを使用者の甲の上で固定する際に、面ファスナーを用いるものとして説明したが、チャックによって固定するものであっても良い。
【００４５】
また例えば、実施の形態１において、一対の甲保持部１２ａ，１２ｂは、それぞれ底板部１１の前足部１１ａの側部に連結されているものとして説明したが、前足部１１ａの足部だけでなく中足部１１ｂの一部にかかっていてもよい。また同様に、実施の形態４において、第１、第２の面ファスナー９１，９２は中足部１１ｂに設けられているものとして説明したが、後足部１１ｃに設けられていてもよく、中足部１１ｂと後足部１１ｃの両方にかかるように設けられていてもよく、これらの位置は適宜変更することができる。
【符号の説明】
【００４６】
１，２，３，４        履物
１１            底板部
１１ａ            前足部
１１ｂ            中足部
１１ｃ            後足部
１２ａ            第１の甲保持部
１２ｂ            第２の甲保持部
１２ｃ            第２の甲保持部
１２ｄ            第１の甲保持部
１２ｅ            第２の甲保持部
１２ｆ            甲保持部
１３            踵当て部
２１            端部
２２            端部（先端部）
２３            第１の面ファスナー
２４            第２の面ファスナー
３１            端部
３２            端部（先端部）
３３            第３の面ファスナー
３４            第４の面ファスナー
３５            第５の面ファスナー
４１            前方側保持部
４２            後方側保持部
５１            端部
５２            端部（先端部）
５３            第３の面ファスナー
５４            第４の面ファスナー
５５            第５の面ファスナー
６１            端部
６２            端部（先端部）
６３            第６の面ファスナー
６４            第７の面ファスナー
６５            第８の面ファスナー
７１            端部
７２            端部（先端部）
７３            第１の面ファスナー
７４            錘
８１            端部
８２            端部（先端部）
８３            第２の面ファスナー
８４            錘
９１            第１の面ファスナー
９２            第２の面ファスナー
９３            第３の面ファスナー
９４            第４の面ファスナー
９５            面ファスナー
９６            面ファスナー
１０１            布部
１０２            連結部
【図１】
2019055015.tif 000003
【図２】
2019055015.tif 000004
【図３】
2019055015.tif 000005
【図４】
2019055015.tif 000006
【図５】
2019055015.tif 000007
【図６】
2019055015.tif 000008
【図７】
2019055015.tif 000009